(57)【特許請求の範囲】
【請求項１】
複数の無線装置と通信する無線制御装置において、
カスケード接続された前記複数の無線装置の接続関係を認識するための識別子をフレームに挿入する識別子挿入手段と、
前記識別子挿入手段によって前記識別子が挿入された前記フレームを前記カスケード接続された前記複数の無線装置に送信する送信手段と、
前記カスケード接続された前記複数の無線装置から前記識別子が挿入された前記フレームを受信する受信手段と、
前記受信手段によって受信された前記フレームの前記識別子に基づいて前記カスケード接続された前記複数の無線装置の接続関係を認識する接続関係認識手段と、
を備え、
前記無線装置が、下り方向から流れてきた前記フレームの前記識別子に１を加算して下り方向識別子を生成して、前記カスケード接続している下り次段の前記無線装置へ送信し、
前記カスケード接続している最終段の前記無線装置から折り返し送信された上り方向識別子を受信し、
前記上り方向識別子の値と前記下り方向識別子の値とを比較し、
前記上り方向識別子の値が前記下り方向識別子の値よりも大きい場合は、上り次段の前記無線装置へ、受信した前記上り方向識別子をスルーで送信し、
前記無線装置に異常が発生し前記上り方向識別子に変化が生じて、前記上り方向識別子の値が前記下り方向識別子の値以下になった場合は、上り次段の前記無線装置へ、自己の識別子を前記上り方向識別子として送信することによって、
前記接続関係認識手段は、前記上り方向識別子の値から前記カスケード接続された前記複数の無線装置の接続関係を認識し、異常が発生したとみなせる無線装置は、前記カスケード接続の認識から除外する、
ことを特徴とする無線制御装置。
【請求項２】
前記フレームは、ＣＰＲＩフレームであることを特徴とする請求項１記載の無線制御装置。
【請求項３】
前記識別子挿入手段は、前記ＣＰＲＩフレームの所定の領域に前記識別子を挿入することを特徴とする請求項２記載の無線制御装置。
【請求項４】
前記接続関係認識手段によって認識された前記接続関係に基づいて、前記複数の無線装置のそれぞれにＣＰＲＩによるイーサネット通信またはＨＤＬＣ通信を行うための通信情報を送信する通信情報送信手段を有することを特徴とする請求項２記載の無線制御装置。
【請求項５】
無線制御装置と通信する無線装置において、
前記無線制御装置または上り方向の他無線装置から識別子が挿入されたフレームを受信する受信手段と、
前記受信手段によって受信された前記フレームの前記識別子に基づいて、カスケード接続された複数の無線装置における当該無線装置の接続関係を認識する接続関係認識手段と、
前記受信手段によって受信された前記フレームの前記識別子に所定の演算を施して、前記カスケード接続された下り方向の他無線装置に送信する送信手段と、
下り方向の前記他無線装置から上り方向の前記フレームを受信し、上り方向の前記他無線装置または前記無線制御装置に前記フレームを送信する送受信手段と、
を備え、
前記送信手段は、下り方向から流れてきた前記フレームの前記識別子に１を加算して下り方向識別子を生成して、前記カスケード接続している下り次段の前記無線装置へ送信し、
前記送受信手段は、前記カスケード接続している最終段の前記無線装置から折り返し送信された上り方向識別子を受信し、
前記接続関係認識手段は、前記上り方向識別子の値と前記下り方向識別子の値とを比較し、
前記送受信手段は、
前記上り方向識別子の値が前記下り方向識別子の値よりも大きい場合は、上り次段の前記無線装置へ、受信した前記上り方向識別子をスルーで送信し、
異常が発生し前記上り方向識別子に変化が生じて、前記上り方向識別子の値が前記下り方向識別子の値以下になった場合は、異常が発生したとみなせる無線装置が、前記無線制御装置の前記カスケード接続の認識から除外されるように、上り次段の前記無線装置へ、自己の識別子を前記上り方向識別子として送信する、
ことを特徴とする無線装置。
【請求項６】
前記フレームは、ＣＰＲＩフレームであることを特徴とする請求項５記載の無線装置。
【請求項７】
前記送信手段は、前記ＣＰＲＩフレームの前記識別子に所定値を加算し、下り方向の前記他無線装置に送信することを特徴とする請求項６記載の無線装置。
【請求項８】
前記ＣＰＲＩフレームの所定の領域からＣＰＲＩによるイーサネット通信またはＨＤＬＣ通信を行うための通信情報を取得する通信情報取得手段を有することを特徴とする請求項６記載の無線装置。
【請求項９】
前記送信手段は、当該無線装置が前記カスケード接続の最後段に接続されている場合、前記受信手段によって受信された前記ＣＰＲＩフレームを上り方向の前記他無線装置に送信することを特徴とする請求項６記載の無線装置。
【請求項１０】
通信システムにおいて、
カスケード接続された複数の無線装置の接続関係を認識するための識別子をフレームに挿入する識別子挿入手段と、前記識別子挿入手段によって前記識別子が挿入された前記フレームを前記カスケード接続された前記複数の無線装置に送信する送信手段と、前記カスケード接続された前記複数の無線装置から前記識別子が挿入された前記フレームを受信する受信手段と、前記受信手段によって受信された前記フレームの前記識別子に基づいて、前記カスケード接続された前記複数の無線装置の接続関係を認識する接続関係認識手段と、を有する無線制御装置と、
前記無線制御装置または上り方向の他無線装置から前記識別子が挿入されたフレームを受信する受信手段と、前記受信手段によって受信された前記フレームの前記識別子に基づいて、前記カスケード接続された前記複数の無線装置における当該無線装置の接続関係を認識する接続関係認識手段と、前記受信手段によって受信された前記フレームの前記識別子に所定の演算を施して、前記カスケード接続された下り方向の他無線装置に送信する送信手段と、下り方向の前記他無線装置から上り方向の前記フレームを受信し、上り方向の前記他無線装置または前記無線制御装置に前記フレームを送信する送受信手段と、を有する無線装置と、
を備え、
前記無線装置では、
前記送信手段は、下り方向から流れてきた前記フレームの前記識別子に１を加算して下り方向識別子を生成して、前記カスケード接続している下り次段の前記無線装置へ送信し、
前記送受信手段は、前記カスケード接続している最終段の前記無線装置から折り返し送信された上り方向識別子を受信し、
前記接続関係認識手段は、前記上り方向識別子の値と前記下り方向識別子の値とを比較し、
前記送受信手段は、
前記上り方向識別子の値が前記下り方向識別子の値よりも大きい場合は、上り次段の前記無線装置へ、受信した前記上り方向識別子をスルーで送信し、
異常が発生し前記上り方向識別子に変化が生じて、前記上り方向識別子の値が前記下り方向識別子の値以下になった場合は、異常が発生したとみなせる無線装置が、前記無線制御装置の前記カスケード接続の認識から除外されるように、上り次段の前記無線装置へ、自己の識別子を前記上り方向識別子として送信する、
ことを特徴とする通信システム。
【発明の詳細な説明】
【技術分野】
【０００１】
本発明は無線制御装置、無線装置、および通信システムに関し、特に基地局内で通信する無線制御装置、無線装置、および通信システムに関する。
【背景技術】
【０００２】
携帯電話などの無線通信システムにおける基地局は、無線信号を処理するＲＥ（Radio Equipment）と、ＲＥを制御するＲＥＣ（Radio Equipment Control）とに分離することができる。このＲＥＣ−ＲＥ間を結ぶインタフェースとして、例えば、ＣＰＲＩ（Common public Radio Interface）がある。ＣＰＲＩは、基地局内をＲＥとＲＥＣとに分離し、そのインタフェースをオープンにすることにより、基地局内の各部のマルチベンダ化を図ることができる。ＣＰＲＩは、その適用範囲として、ハードウェアによるレイヤＬ１とレイヤＬ２を規定している。
【０００３】
ＲＥＣとＲＥとの接続形態として、従来、ＲＥＣが複数のＣＰＲＩを備え、それぞれのＣＰＲＩにおいてＲＥと１対１接続した接続形態がある。また、ＲＥをカスケード接続した接続形態がある（例えば、特許文献１参照）。ＲＥをカスケード接続した接続形態では、ＲＥＣと１段目のＲＥは、ＣＰＲＩで接続し、後段のＲＥ−ＲＥ間は、装置固有の接続手段で接続する。
【特許文献１】特表２００７−５１１９５５号公報（段落番号〔００４６〕、図１１）
【発明の開示】
【発明が解決しようとする課題】
【０００４】
しかし、従来のＲＥをカスケード接続した接続形態では、ＲＥＣおよびＲＥ間で通信するには、ＲＥがどのようにカスケード接続されているか、あらかじめ接続関係を認識しておかなければならない。このため、無線装置をカスケード接続に新たに追加および削除することが困難であるという問題点があった。
【０００５】
本件はこのような点に鑑みてなされたものであり、無線装置のカスケード接続の接続関係を認識し、容易に無線装置をカスケード接続に新たに追加および削除することができる無線制御装置、無線装置、および通信システムを提供することを目的とする。
【課題を解決するための手段】
【０００６】
上記課題を解決するために、複数の無線装置と通信する無線制御装置が提供される。この無線制御装置は、カスケード接続された前記複数の無線装置の接続関係を認識するための識別子をフレームに挿入する識別子挿入手段と、前記識別子挿入手段によって前記識別子が挿入された前記フレームを前記カスケード接続された前記複数の無線装置に送信する送信手段と、前記カスケード接続された前記複数の無線装置から前記識別子が挿入された前記フレームを受信する受信手段と、前記受信手段によって受信された前記フレームの前記識別子に基づいて前記カスケード接続された前記複数の無線装置の接続関係を認識する接続関係認識手段と、を備える。また、前記無線装置が、下り方向から流れてきた前記フレームの前記識別子に１を加算して下り方向識別子を生成して、前記カスケード接続している下り次段の前記無線装置へ送信し、前記カスケード接続している最終段の前記無線装置から折り返し送信された上り方向識別子を受信し、前記上り方向識別子の値と前記下り方向識別子の値とを比較し、前記上り方向識別子の値が前記下り方向識別子の値よりも大きい場合は、上り次段の前記無線装置へ、受信した前記上り方向識別子をスルーで送信し、前記無線装置に異常が発生し前記上り方向識別子に変化が生じて、前記上り方向識別子の値が前記下り方向識別子の値以下になった場合は、上り次段の前記無線装置へ、自己の識別子を前記上り方向識別子として送信することによって、前記接続関係認識手段は、前記上り方向識別子の値から前記カスケード接続された前記複数の無線装置の接続関係を認識し、異常が発生したとみなせる無線装置は、前記カスケード接続の認識から除外する。
【発明の効果】
【０００９】
開示の装置およびシステムによれば、フレームに挿入する識別子に基づいてカスケード接続の接続関係認識が可能となり、容易に無線装置をカスケード接続に新たに追加および削除することができる。
【発明を実施するための最良の形態】
【００１０】
図１は、無線制御装置および無線装置の概要を説明する図である。図に示す無線制御装置１および無線装置２ａ，２ｂ，…，２ｎは、例えば、携帯電話などの端末と無線通信する基地局内に具備される。
【００１１】
無線制御装置１および無線装置２ａ，２ｂ，…，２ｎは、カスケード接続の接続関係を認識し、無線装置２ａ，２ｂ，…，２ｎがカスケード接続に新たに追加および削除されても通信できるようになっている。
【００１２】
無線制御装置１は、識別子挿入手段１ａ、送信手段１ｂ、受信手段１ｃ、および接続関係認識手段１ｄを有している。無線装置２ａは、受信手段２ａａ、接続関係認識手段２ａｂ、送信手段２ａｃ、および送受信手段２ａｄを有している。無線装置２ｂ，…，２ｎも無線装置２ａと同じ手段を有している。無線装置２ａ，２ｂ，…，２ｎは、カスケード接続され、無線装置２ａは、無線制御装置１に接続されている。無線制御装置１から無線装置２ｎの方向を下り方向、無線装置２ｎから無線制御装置１の方向を上り方向と呼ぶ。
【００１３】
無線制御装置１の識別子挿入手段１ａは、カスケード接続された複数の無線装置２ａ，２ｂ，…，２ｎの接続関係を認識するための識別子をフレームに挿入する。
送信手段１ｂは、識別子挿入手段１ａによって識別子が挿入されたフレームをカスケード接続された無線装置２ａに送信する。
【００１４】
受信手段１ｃは、カスケード接続された無線装置２ａから識別子が挿入されたフレームを受信する。
接続関係認識手段１ｄは、受信手段１ｃによって受信されたフレームの識別子に基づいて、カスケード接続された複数の無線装置２ａ，２ｂ，…，２ｎの接続関係を認識する。例えば、接続関係認識手段１ｄは、受信されたフレームの識別子に基づいて、無線装置２ａ，２ｂ，…，２ｎが何台カスケード接続されているかを認識する。
【００１５】
無線装置２ａの受信手段２ａａは、識別子が挿入されたフレームを無線制御装置１から受信する。
接続関係認識手段２ａｂは、受信手段２ａａによって受信されたフレームの識別子に基づいて、カスケード接続された複数の無線装置２ａ，２ｂ，…，２ｎ群における当該無線装置２ａの接続関係を認識する。例えば、接続関係認識手段２ａｂは、受信されたフレームの識別子に基づいて、当該無線装置２ａは、カスケード接続された複数の無線装置２ａ，２ｂ，…，２ｎ群内の何段目に接続されているかを認識する。
【００１６】
送信手段２ａｃは、受信手段２ａａによって受信されたフレームの識別子に所定の演算を施して、カスケード接続された下り方向の無線装置２ｂに送信する。例えば、識別子に‘１’を加算して、下り方向の無線装置２ｂに送信する。
【００１７】
送受信手段２ａｄは、下り方向の他の無線装置２ｂから、上り方向のフレームを受信し、無線制御装置１にフレームを送信する。
以下、図１の動作について説明する。無線制御装置１の識別子挿入手段１ａは、フレームに識別子を挿入する。例えば、‘０’の識別子を挿入する。送信手段１ｂは、‘０’の識別子が挿入されたフレームを無線装置２ａに送信する。
【００１８】
無線装置２ａの受信手段２ａａは、無線制御装置１からフレームを受信する。接続関係認識手段２ａｂは、受信されたフレームの‘０’の識別子により、当該無線装置２ａは、カスケード接続された複数の無線装置２ａ，２ｂ，…２ｎの１段目に位置し、無線制御装置１に接続されていることを認識することができる。
【００１９】
送信手段２ａｃは、受信手段２ａａによって受信されたフレームの識別子に‘１’を加算して、下り方向の無線装置２ｂに送信する。すなわち、送信手段２ａｃは、‘１’の識別子を無線装置２ｂに送信する。
【００２０】
無線装置２ｂは、無線装置２ａと同様の手段を有しているため、受信したフレームの‘１’の識別子から、カスケード接続された複数の無線装置２ａ，２ｂ，…２ｎの２段目に位置していることを認識できる。
【００２１】
無線装置２ｂは、無線装置２ａと同様に、受信したフレームの識別子に‘１’を加算し、識別子‘２’のフレームを下り方向の無線装置に送信する。これにより、無線装置２ｂの下り方向に接続された無線装置は、‘２’の識別子を受信することにより、自分がカスケード接続された複数の無線装置２ａ，２ｂ，…２ｎの３段目に位置していることを認識できる。
【００２２】
同様に、無線装置２ｎも自分がカスケード接続された複数の無線装置２ａ，２ｂ，…２ｎのｎ段目に位置していることを認識できる。無線装置２ｎは、最後段の装置なので、‘１’を加算した識別子‘ｎ’のフレームを、上り方向の無線装置に送信する。
【００２３】
カスケード接続された複数の無線装置２ｂ，…は、無線装置２ａと同様の送受信手段２ａｄを備えているので、識別子‘ｎ’の上り方向のフレームを、上り方向に接続された無線装置に送信する。
【００２４】
無線装置２ａの送受信手段２ａｄは、無線装置２ｂから識別子‘ｎ’のフレームを受信する。送受信手段２ａｄは、受信した識別子‘ｎ’の上り方向のフレームを無線制御装置１に送信する。
【００２５】
無線制御装置１の受信手段１ｃは、無線装置２ａから識別子‘ｎ’のフレームを受信する。
接続関係認識手段１ｄは、受信手段１ｃによって受信されたフレームの識別子‘ｎ’によって、ｎ台の無線装置２ａ，２ｂ，…，２ｎが接続されていることを認識できる。
【００２６】
このように、無線制御装置１および無線装置２ａ，２ｂ，…，２ｎは、識別子を送受信することにより、無線装置２ａ，２ｂ，…，２ｎのカスケード接続の接続関係を認識することができ、容易に無線装置２ａ，２ｂ，…，２ｎをカスケード接続に新たに追加しおよび削除することができる。
【００２７】
次に、実施の形態を図面を参照して詳細に説明する。
図２は、ＲＥをカスケード接続した基地局のブロック構成図である。図には、基地局１０およびＲＮＣ（Radio Network Controller）３０が示してある。基地局１０とＲＮＣ３０は、Ｉｕｂ（Interface between RNC and UMTS(Universal Mobile Telecommunication Systems) radio base station(Node B)）によって接続されている。ＲＮＣ３０は、基地局１０を制御する上位装置である。基地局１０は、例えば、携帯電話などの端末と無線通信を行う。
【００２８】
基地局１０は、ＲＥＣ１１およびＲＥ２１ａ〜２１ｎ、ＲＥ２２ａ〜２２ｎ、…を有している。ＲＥ２１ａ〜２１ｎは、ＲＥＣ１１に接続され、ＲＥ２２ａ〜２２ｎ、…は、ＲＥ２１ａ〜２１ｎにカスケード接続されている。ＲＥＣ１１、ＲＥ２１ａ〜２１ｎ、ＲＥ２２ａ〜２２ｎ、…は、それぞれＣＰＲＩによって結ばれている。
【００２９】
ＲＥＣ１１は、ＭＤＥ（Modulation and Demodulation Equipment）１２およびＴＲＸＩＮＦ（Transmitter and Receiver INterFace）１３ａ〜１３ｎを有している。ＭＤＥ１２は、ＲＮＣ３０と通信するデータの復調／変調を行い、また、ＲＥ２１ａ〜２１ｎ、ＲＥ２２ａ〜２２ｎ、…と通信するデータの復調／変調を行う。ＴＲＸＩＮＦ１３ａ〜１３ｎは、ＲＥ２１ａ〜２１ｎとＣＰＲＩに基づいた通信を行うインタフェースである。
【００３０】
ＲＥ２１ａは、ＴＲＸＩＮＦ２１ａａおよびＡＭＰ２１ａｂを有している。ＴＲＸＩＮＦ２１ａａは、ＲＥＣ１１およびＲＥ２２ａ〜２２ｎとＣＰＲＩに基づいた通信を行うインタフェースである。ＡＭＰ（AMPlifier）２１ａｂは、増幅器であり、ＴＲＸＩＮＦ２１ａａの受信したデータを増幅してＡＮＴ（ANTenna）２１ａｃに出力する。また、ＡＮＴ２１ａｃから受信したデータを増幅し、ＴＲＸＩＮＦ２１ａａに出力する。なお、その他のＲＥもＲＥ２１ａと同じ構成を有し、その説明を省略する。
【００３１】
ＲＥＣ１１およびＲＥ２１ａ〜２１ｎ、ＲＥ２２ａ〜２２ｎ、…（以下、ＲＥと省略することもある）は、カスケード接続の接続関係を認識する。例えば、ＲＥＣ１１およびＲＥは、何台のＲＥがカスケード接続され、自分はそのカスケード接続のどこに接続されているか認識することができる。この認識は、例えば、数秒間隔で周期的に行われる。
【００３２】
ＲＥＣ１１は、ＲＥのカスケード接続関係を認識すると、ＲＥＣ１１−ＲＥ間のＣＰＲＩによって支持されるイーサネット（登録商標）通信またはＨＤＬＣ通信を可能にするため、例えば、ＩＰ（Internet Protocol）アドレスなどの通信情報を個々のＲＥに送信する。ＲＥＣ１１およびＲＥは、通信情報を基にデータの送受信が可能になる。
【００３３】
このように、ＲＥＣ１１およびＲＥは、周期的にカスケード接続の認識処理を行う。これにより、ＲＥを追加したり削除したりすることができ、カスケード接続の接続形態を容易に変更することができる。
【００３４】
また、カスケード接続されたＲＥＣ１１およびＲＥは、特別なリンクを使用することなく、ＣＰＲＩに基づいて通信を行うので、ＲＥをカスケード接続する場合でも汎用性を維持することができる。
【００３５】
図３は、ＣＰＲＩ通信を説明する図である。図３には、図２で示したＲＥＣ１１とＲＥ２１ａが示してある。ＣＰＲＩは、ＲＥＣ１１―ＲＥ間で送受信されるデータのレイヤＬ１，Ｌ２のプロトコルを定義している。
【００３６】
ＲＥＣ１１−ＲＥ間で送受信されるデータには、ユーザプレーン、Ｃ＆Ｍ（Control & Management）プレーン、およびＳＹＮＣ（SYNChronization）がある。ユーザプレーンは、例えば、端末間で送受信されるユーザデータである。Ｃ＆Ｍプレーンは、ＲＥＣ１１およびＲＥを制御管理するためのデータである。ＳＹＮＣは、ＲＥＣ１１およびＲＥの同期をとるための同期情報である。
【００３７】
ユーザプレーンは、サービスアクセスポイントＳＡＰIQを介して、レイヤＬ２とやり取りされる。Ｃ＆Ｍプレーンは、サービスアクセスポイントＳＡＰCMを介して、レイヤＬ２とやり取りされる。ＳＹＮＣは、サービスアクセスポイントＳＡＰSを介して、レイヤＬ２とやり取りされる。なお、図３に示すＵｕ（UMTS air interface）は、ＵＭＴＳのエアインタフェースを示す。
【００３８】
図４は、ＣＰＲＩのプロトコル構成の概略を示した図である。図に示すように、ユーザプレーンは、ＩＱ（In-phase Quadrature）データ領域またはベンダ指定領域で送受信される。ベンダ指定領域は、ベンダ指定情報を転送するのに用いられるプロトコルであり、ユーザが自由に使用することができる領域である。
【００３９】
Ｃ＆Ｍプレーンは、ベンダ指定領域、イーサネット領域、ＨＤＬＣ（High-level Data Link Control）領域、およびＬ１インバンドプロトコル領域で送受信される。高速のＣ＆Ｍプレーンは、イーサネット形式で送受信され、低速のＣ＆Ｍプレーンは、ＨＤＬＣ形式で送受信される。Ｌ１インバンドプロトコルは、物理レイヤ上で使用されるリンク関連のプロトコルであり、システムスタートアップ時など、レイヤＬ１に関連した処理を行うプロトコルである。
【００４０】
ＳＹＮＣは、Ｌ１インバンドプロトコル領域で送受信される。
ＩＱデータ領域、ベンダ指定領域、イーサネット領域、ＨＤＬＣ領域、およびＬ１インバンドプロトコル領域のデータは、レイヤＬ１によって時分割多重される。時分割多重されたこれらのデータは、電気的にまたは光によって送受信される。
【００４１】
図５は、ＣＰＲＩのフレーム構成例を示した図である。ＣＰＲＩのフレームは、図５に示すように、ベーシックフレーム、ハイパーフレーム、ＵＭＴＳラジオフレームの階層構造を持つ。２５６個のベーシックフレームの集合体がハイパーフレームとなり、１５０個のハイパーフレームの集合体がＵＭＴＳラジオフレームとなる。
【００４２】
ベーシックフレームは、インデックスとしてＸ０〜Ｘ２５５が付与され、ハイパーフレームは、インデックスとしてＺ０〜Ｚ１４９が付与される。また、ベーシックフレームは、行番号としてＹ０〜Ｙ３が付与される。ベーシックフレームは、Ｚ．Ｘ．Ｙ（Ｚ，Ｘ，Ｙ：正の整数）によって、ＵＭＴＳラジオフレーム内のどこに配置されているかを示すことができる。
【００４３】
ベーシックフレームは、図に示すように、１６バイトを１単位とし、Ｙ０〜Ｙ３の値で管理される。ベーシックフレームの先頭の１バイトは、コントロールワード（ＣＷ）として定義される。ベーシックフレームの残りの１５バイトには、ＩＱデータが格納される。
【００４４】
図６は、ハイパーフレームの詳細を示した図である。図６には、１ハイパーフレームが示してある。上述したように、１ハイパーフレームは、Ｘ０〜Ｘ２５５の２５６個のベーシックフレームから構成される。図に示すベーシックフレームの斜線部分は、コントロールワードを示す。
【００４５】
２５６個のベーシックフレームは、図に示すように６４個のサブチャネルにまとめられる。各サブチャネルのベーシックフレームには、図に示すように、０〜６３のインデックスＮｓが付与される。また、各サブチャネル内のコントロールワードには、０〜３のインデックスＸｓが付与される。
【００４６】
１ハイパーフレーム内のコントロールワードは、２５６個のベーシックフレームを６４個のサブチャネルにまとめることによって、ヘッダとしての意味を持つ。
図７は、コントロールワードマッピングを示した図である。図７に示すように、コントロールワードは、１ハイパーフレームのベーシックフレームを６４サブチャネルにまとめることで、ヘッダとしての意味を持つ。図７のＸｓは、図６のＸｓに対応し、図７のサブチャネルは、図６のＮｓに対応している。コントロールワードは、図７に示すようにまとめることによって、所定の意味を持つ。
【００４７】
以下、カスケード接続の認識およびＲＥＣ−ＲＥ間のＣＰＲＩによるイーサネット通信またはＨＤＬＣ通信を可能にするための通信情報のやり取りについて説明する。まず、カスケード接続の認識について説明する。
【００４８】
図８は、ＲＥＣとカスケード接続されたＲＥとを示した図である。図８に示すように、ＲＥＣ４１には、ＲＥ５１〜５８がカスケード接続されている。図のＲＥＣ４１は、図２のＲＥＣ１１に対応し、ＲＥ５１〜５８は、図２のＲＥ２１ａ，２２ａ，…に対応する。なお、図に示す＃０〜＃７は、ＲＥ５１〜５８の名称を示している。
【００４９】
ＲＥＣ４１およびＲＥ５１〜５８（以下、ＲＥと省略することもある）は、ＣＰＲＩによるイーサネット通信またはＨＤＬＣ通信（図４で説明したイーサネット領域またはＨＤＬＣ領域でのＣ＆Ｍプレーン通信）ができるよう、例えば、ＩＰアドレスなどの通信情報が必要である。ＲＥＣ４１は、通信情報を各ＲＥに送信するために、ＲＥがいくつ接続されているか認識する必要がある。ＲＥは、通信情報を受信するため、カスケード接続のどの位置に接続されているか認識する必要がある。そのため、ＲＥＣ４１およびＲＥは、自己および他装置がどのように接続されているかの認識処理を行う。
【００５０】
図９は、接続関係の認識処理を説明する図である。図９において、図８と同じものには同じ符号を付し、その説明を省略する。図のＲＥＣ４１から、カスケード接続の最後段のＲＥ５８への方向を下り方向、その逆を上り方向と呼ぶ。
【００５１】
ＲＥＣ４１は、各ＲＥの接続関係を認識するためのＲＥ識別子を、自己に接続されているＲＥ５１に送信する。
ＲＥ５１〜５８のそれぞれは、隣接している上り方向のＲＥから送信されてくるＲＥ識別子に‘１’を加算して下り方向のＲＥに送信する。これにより、各ＲＥ５１〜５８は、受信したＲＥ識別子によって、ＲＥＣ４１から何番目にカスケード接続されているか認識することができる。
【００５２】
最後段のＲＥ５８の下り方向には、ＲＥが接続されていない。最後段のＲＥ５８は、受信したＲＥ識別子に‘１’を加算した後、そのＲＥ識別子を上り方向のＲＥ５７に折り返すように、ＣＰＲＩが終端されている。
【００５３】
ＲＥ５１〜５８のそれぞれは、下り方向で受信したＲＥ識別子と、上り方向のＲＥ識別子とを比較する。ＲＥ５１〜５８は、値の大きい方のＲＥ識別子をそのまま次段のＲＥ５１〜５８に送信する。
【００５４】
なお、通常は、上り方向の識別子＞下り方向の識別子、の関係が成り立ち、ＲＥ５１〜５８は、上り方向においては、最終段のＲＥ５８からのＲＥ識別子をそのまま受信して送信することになる。
【００５５】
これにより、ＲＥＣ４１およびＲＥ５１〜５８は、何台のＲＥがカスケード接続されているか認識することができる。
例えば、図９において、ＲＥＣ４１は、‘０’のＲＥ識別子をＲＥ５１に送信する。ＲＥ５１は、‘０’のＲＥ識別子を受信することにより、カスケード接続の１段目であることを認識できる。ＲＥ５１は、受信した‘０’のＲＥ識別子に‘１’を加算して、ＲＥ５２に送信する。
【００５６】
ＲＥ５２は、‘１’のＲＥ識別子を受信する。ＲＥ５２は、‘１’という値のＲＥ識別子により、自分は、カスケード接続の２段目に接続されていることを認識できる。ＲＥ５２は、受信した‘１’のＲＥ識別子に‘１’を加算して、ＲＥ５３に送信する。
【００５７】
ＲＥ５３〜５８も上記と同様の処理を行う。これにより、ＲＥ５３〜５７は、それぞれ、‘２’，‘３’，‘４’，‘５’，‘６’，‘７’のＲＥ識別子を受信し、自身がカスケード接続の何番目に接続されているか認識する。
【００５８】
ＲＥ５８は、最終段のＲＥなので、終端処理を行う。ＲＥ５８は、受信した‘７’のＲＥ識別子に‘１’を加算して、上り方向のＲＥ５７に送信する。
ＲＥ５７は、下り方向で受信したＲＥ識別子‘６’と、ＲＥ５８から受信した上り方向のＲＥ識別子‘８’とを比較する。上り方向のＲＥ識別子は、下り方向のＲＥ識別子より値が大きいので、ＲＥ５７は、上り方向のＲＥ識別子‘８’をそのままＲＥ５６に送信する。
【００５９】
ＲＥ５６〜５１のそれぞれは、上り方向のＲＥ識別子＞下り方向のＲＥ識別子、を判断することになるため、上り方向のＲＥ識別子をそのまま上り方向のＲＥへと送信することになる。
【００６０】
ＲＥ５８〜５１およびＲＥＣ４１は、‘８’の上り方向のＲＥ識別子を受信することになる。これにより、ＲＥＣ４１およびＲＥ５７〜５１は、８台のＲＥがカスケード接続されていることを認識することができる。
【００６１】
図１０は、ＲＥ識別子のマッピングを説明する図である。図１０には、図７で説明したコントロールワードマッピングの一部が示してある。
ＣＰＲＩフレームのベンダ指定領域は、ユーザで自由に使用することができる領域である。従って、ＲＥＣ４１−ＲＥは、ＣＰＲＩフレームのベンダ指定領域にＲＥ識別子を格納して送受信するようにする。例えば、図１０に示すように、インデックスＸｓ＝１、サブチャネル１６のベンダ指定領域にＲＥ識別子を格納して送受信する。
【００６２】
次に、通信情報のやり取りについて説明する。ＲＥＣ４１は、ＲＥ５１〜５８のカスケード接続関係を認識した後、ＲＥＣ４１−ＲＥ間でＣＰＲＩによるイーサネット通信またはＨＤＬＣ通信を行えるよう、通信情報をＲＥ５１〜５８に送信する必要がある。また、ＲＥ５１〜５８は、ＲＥＣ４１から送信される通信情報を受信する必要がある。
【００６３】
図１１は、通信情報のマッピングを説明する図である。図１１には、図７で説明したコントロールワードマッピングの一部が示してある。
ＲＥＣ４１およびＲＥ５１〜５８は、上記のカスケード接続の認識処理によって、何台ＲＥがカスケード接続され、自分がどの位置にカスケード接続されているか認識できる。従って、ＲＥＣ４１は、各ＲＥ宛の通信情報を、どのベンダ指定領域に格納すればよいか認識できる。また、ＲＥ５１〜５８は、どのベンダ指定領域に自己宛の通信情報が格納されているか認識できる。
【００６４】
例えば、ＲＥＣ４１およびＲＥ５１〜５８は、図１１に示すように、インデックスＸｓ＝１〜４、サブチャネル１７〜２４のベンダ指定領域を使用して通信情報を送受信する。ＲＥＣ４１は、カスケード接続の認識処理により、８台のＲＥ５１〜５８がカスケード接続されていることを認識するので、サブチャネル１７〜２４のそれぞれのベンダ指定領域に、ＲＥ５１〜ＲＥ５８宛の通信情報を格納すればよいことを認識できる。また、ＲＥ５１〜５８のそれぞれは、どの位置にカスケード接続されているか認識しているので、サブチャネル１７〜２４のどのベンダ指定領域が自分宛の通信情報の領域か認識できる。
【００６５】
図１２は、通信情報の送受信を説明する図である。図１２には、図８で示したＲＥＣ４１とＲＥ５１〜５８が示してある。
ＲＥＣ４１は、ハイパーフレームごとに、異なる属性の通信情報をＲＥ５１〜５８に送信する。例えば、図１２に示すように、ハイパーフレーム（図中ＨＦＮ）Ｚ０では、ＲＥ５１〜５８のＩＰアドレスの通信情報をＲＥ５１〜５８に送信する。ハイパーフレームＺ１では、ＲＥＣ４１のＩＰアドレスの通信情報をＲＥ５１〜５８に送信する。ハイパーフレームＺ２では、その他情報の通信情報をＲＥ５１〜５８に送信する。
【００６６】
ＲＥＣ４１は、ハイパーフレームＺ０では、インデックスＸｓ＝０〜３、サブチャネル１７〜２４のベンダ指定領域にＲＥ５１〜５８のＩＰアドレスを格納して送信する。ＲＥ５１〜５８のそれぞれは、どのベンダ指定領域に自己宛のＩＰアドレスが格納されているか認識できる。例えば、ＲＥ５１は、ハイパーフレームＺ０のサブチャネル１７を参照することにより、自己宛のＩＰアドレスを取得することができる。ＲＥ５２は、ハイパーフレームＺ０のサブチャネル１８を参照することにより、自己宛のＩＰアドレスを取得することができる。以下、同様に、ＲＥ５８は、ハイパーフレームＺ０のサブチャネル２４を参照することにより、自己宛のＩＰアドレスを取得することができる。
【００６７】
ＲＥＣ４１は、ハイパーフレームＺ１では、インデックスＸｓ＝０〜３、サブチャネル１７〜２４のベンダ指定領域にＲＥＣ４１のＩＰアドレスを格納して送信する。ＲＥ５１〜５８のそれぞれは、自己宛のベンダ指定領域を参照することにより、ＲＥＣ４１のＩＰアドレスを取得することができる。例えば、ＲＥ５１は、ハイパーフレームＺ１のサブチャネル１７を参照することにより、ＲＥＣ４１のＩＰアドレスを取得することができる。ＲＥ５２は、ハイパーフレームＺ１のサブチャネル１８を参照することにより、ＲＥＣ４１のＩＰアドレスを取得することができる。以下、同様に、ＲＥ５８は、ハイパーフレームＺ１のサブチャネル２４を参照することにより、ＲＥＣ４１のＩＰアドレスを取得することができる。
【００６８】
ＲＥＣ４１は、ハイパーフレームＺ２では、インデックスＸｓ＝０〜３のサブチャネル１７〜２４のベンダ指定領域にＲＥ５１〜５８宛のその他情報を格納して送信する。ＲＥ５１〜５８のそれぞれは、どのベンダ指定領域に自己宛のその他情報が格納されているか認識できる。例えば、ＲＥ５１は、ハイパーフレームＺ０のサブチャネル１７を参照することにより、自己宛のその他情報を取得することができる。ＲＥ５２は、ハイパーフレームＺ０のサブチャネル１８を参照することにより、自己宛のその他情報を取得することができる。以下、同様に、ＲＥ５８は、ハイパーフレームＺ０のサブチャネル２４を参照することにより、自己宛のその他情報を取得することができる。
【００６９】
ＲＥＣ４１−ＲＥは、送受信した通知情報を用いて通信を行うことができる。例えば、ＲＥＣ４１は、ＲＥ５１〜５８のＩＰアドレスを用いて、所定のＲＥ５１〜５８にデータを送信することができる。また、ＲＥは、ＲＥＣ４１のＩＰアドレスを用いてデータをＲＥＣ４１に送信することができる。ＩＰアドレスを用いたデータ通信は、ＣＰＲＩフレームのイーサネット領域またはＨＤＬＣ領域で行われる。
【００７０】
ＲＥＣ４１とＲＥ５１〜５８のブロックおよび処理フローについて説明する。
図１３は、ＲＥＣのブロック図である。図に示すように、ＲＥＣ４１は、認識部６１、通信情報送信部６２、および通信部６３を有している。
【００７１】
認識部６１は、ベンダ指定領域を用いて、ＲＥＣ４１に接続されているＲＥ５１にＲＥ識別子を送信する。例えば、‘０’のＲＥ識別子を送信する。認識部６１は、ＲＥ識別子の送信を周期的に行う。認識部６１は、ＲＥ５１から返ってきた上り方向のＲＥ識別子により、カスケード接続されているＲＥ５１〜５８の数を認識する。
【００７２】
通信情報送信部６２は、ＲＥＣ４１−ＲＥ間で通信するための通信情報を送信する。通信情報には、ＲＥ５１〜５８のＩＰアドレス、ＲＥＣ４１のＩＰアドレス、その他通信に必要な通信情報が含まれる。通信情報送信部６２は、ＣＰＩＲフレームのベンダ指定領域を用いて通信情報を送信する。
【００７３】
通信部６３は、通信情報送信部６２で送信した通信情報を用いてＲＥ５１〜５８と通信を行う。例えば、通信したいＲＥ５１〜５８のＩＰアドレスを指定し、ＣＰＲＩフレームのイーサネット領域またはＨＤＬＣ領域を用いて通信する。
【００７４】
図１４は、ＲＥのブロック図である。図に示すように、ＲＥ５１は、認識部７１、通信情報受信部７２、および通信部６３を有している。なお、ＲＥ５２〜５８もＲＥ５１と同様の機能を有し、その説明を省略する。
【００７５】
認識部７１は、下り方向のＲＥ識別子を受信する。認識部７１は、受信したＲＥ識別子を、例えば、メモリなどの記憶装置に記憶する。認識部７１は、受信した下り方向のＲＥ識別子に‘１’を加算して、下り方向のＲＥ５２にＲＥ識別子を送信する。
【００７６】
認識部７１は、上り方向のＲＥ識別子を受信すると、その上り方向のＲＥ識別子と、記憶装置に記憶した下り方向のＲＥ識別子とを比較する。上り方向のＲＥ識別子＞下り方向のＲＥ識別子、であれば受信したＲＥ識別子をそのまま上り方向のＲＥ（ＲＥＣ４１）へ送信する。
【００７７】
認識部７１は、ＲＥ５１がカスケード接続の末端である場合、受信したＲＥ識別子に‘１’を加算して上り方向のＲＥへＲＥ識別子を送り返す。すなわち、認識部７１は、ＲＥ５１がカスケード接続の最後段である場合、終端処理を行う。
【００７８】
通信情報受信部７２は、ＣＰＲＩフレームのベンダ指定領域から自己宛の通信情報を受信する。
通信部７３は、通信情報受信部７２で受信された通信情報を用いてＲＥＣ４１と通信する。例えば、ＲＥＣ４１のＩＰアドレスを指定し、ＣＰＲＩフレームのイーサネット領域またはＨＤＬＣ領域を用いて通信する。
【００７９】
図１５は、ＲＥのＲＥ識別子の下り方向処理を示したフローチャートである。図１５は、ＲＥ５１の処理フローを示しているが、ＲＥ５２〜５８も同様である。
ステップＳ１において、ＲＥ５１は、下り方向のＲＥ識別子を受信する。
【００８０】
ステップＳ２において、ＲＥ５１は、下り方向のＲＥ識別子を記憶装置に記憶する。すなわち、ＲＥ５１は、自分のカスケード接続の位置を認識するため、受信したＲＥ識別子を自ＲＥ識別子として保存する。
【００８１】
ステップＳ３において、ＲＥ５１は、受信したＲＥ識別子に‘１’を加算する。
ステップＳ４において、ＲＥ５１は、‘１’を加算したＲＥ識別子を下り方向のＲＥ５２へ送信する。なお、ＲＥ５１は、カスケード接続の最後段である場合には、‘１’を加算したＲＥ識別子を上り方向へと送信する。
【００８２】
図１６は、ＲＥのＲＥ識別子の上り方向処理を示したフローチャートである。図１６は、ＲＥ５１の処理フローを示しているが、ＲＥ５２〜５８も同様である。
ステップＳ１１において、ＲＥ５１は、上り方向のＲＥ識別子を受信する。
【００８３】
ステップＳ１２において、ＲＥ５１は、受信した上り方向のＲＥ識別子と、記憶装置に記憶した自ＲＥ識別子とを比較する。上り方向のＲＥ識別子が、自ＲＥ識別子より大きい場合、ステップＳ１３へ進む。上り方向のＲＥ識別子が、自ＲＥ識別子以下であれば、ステップＳ１４へ進む。
【００８４】
ステップＳ１３において、ＲＥ５１は、受信した上り方向のＲＥ識別子をスルー送信する。すなわち、ＲＥ５１は、受信した上り方向のＲＥ識別子をそのまま上り方向のＲＥＣ４１（または上り方向のＲＥ）に送信する。
【００８５】
ステップＳ１４において、ＲＥ５１は、記憶装置に記憶した自ＲＥ識別子を、上り方向のＲＥ識別子として送信する。
なお、各ＲＥが正常であれば、ステップＳ１２の判断処理は、ステップＳ１３に進むことになる。一方、ＲＥに何らかの異常が発生し、上り方向のＲＥ識別子に変化が生じた場合は、ステップＳ１４に進むことになる。ステップＳ１４に進んだ場合、異常が発生したと考えられるＲＥは、カスケード接続から認識されなくなり、正常なＲＥ間のみで通信が行われることになる。
【００８６】
図１７は、ＲＥの通信情報の受信処理を示したフローチャートである。図１７は、ＲＥ５１の処理フローを示しているが、ＲＥ５２〜５８も同様である。
ステップＳ２１において、ＲＥ５１は、記憶装置に記憶した自ＲＥ識別を取得する。
【００８７】
ステップＳ２２において、ＲＥ５１は、変数オフセットに、ステップＳ２１で取得した自ＲＥ識別子を代入する。
ステップＳ２３において、ＲＥ５１は、サブチャネルの‘１７’に、ステップＳ２２のオフセットを加算し、これを変数自ＲＥ用ベンダ指定領域に代入する。
【００８８】
ＲＥ５１は、図８に示したように、カスケード接続の１段目に接続されているので、記憶装置には、‘０’のＲＥ識別子が記憶されている。従って、ＲＥ５１の場合、自ＲＥ用ベンダ指定領域は、１７＋０＝１７となる。これにより、自ＲＥ用ベンダ指定領域は、図１１に示す‘ＲＥ５１用の領域’を指し示すことになる。
【００８９】
ＲＥ５３の場合では、カスケード接続の３段目に接続されているので、記憶装置には、‘２’のＲＥ識別子が記憶されている。従って、ＲＥ５３の場合、自ＲＥ用ベンダ指定領域は、１７＋２＝１９となる。これにより、自ＲＥ用ベンダ指定領域は、図１１に示す‘ＲＥ５３用の領域’を指し示すことになる。
【００９０】
ステップＳ２４において、ＲＥ５１は、ハイパーフレームを受信する。
ステップＳ２５において、ＲＥ５１は、ベンダ指定領域の、自分用のＲＥ用の領域から、自己宛の通信情報を取得する。
【００９１】
例えば、ＲＥ５１は、図１２に示すように、ハイパーフレームＺ０を受信した場合、自ＲＥ用ベンダ指定領域が指し示す、‘ＲＥ５１のＩＰアドレス’の通信情報を取得する。ＲＥ５１は、ハイパーフレームＺ１を受信した場合、自ＲＥ用ベンダ指定領域が指し示す、‘ＲＥＣ４１のＩＰアドレス’の通信情報を取得する。ＲＥ５１は、ハイパーフレームＺ２を受信した場合、自ＲＥ用ベンダ指定領域が指し示す、‘ＲＥ５１のその他’の通信情報を取得する。
【００９２】
このようにしてＲＥ５１〜５８は、通信情報を受信する。
図１８、図１９は、ＲＥＣ−ＲＥの認識処理のシーケンス図である。図１８、図１９には、図８で示したＲＥＣ４１およびＲＥ５１〜５８の認識処理のシーケンスが示してある。認識処理は、図１８、図１９で続いている。
【００９３】
ステップＳ３１において、ＲＥＣ４１は、‘０’のＲＥ識別子を下り方向のＲＥ５１に送信する。
ステップＳ３２において、ＲＥ５１は、ＲＥＣ４１から‘０’のＲＥ識別子を受信する。ＲＥ５１は、受信した‘０’のＲＥ識別子を自ＲＥ識別子（図中自ＲＥ）として記憶装置に記憶する。また、ＲＥ５１は、受信した‘０’のＲＥ識別子（図中ＲＥ）に‘１’を加算する。
【００９４】
ステップＳ３３において、ＲＥ５１は、‘１’を加算したＲＥ識別子‘１’を下り方向のＲＥ５２に送信する。
ステップＳ３４において、ＲＥ５２は、ＲＥ５１から‘１’のＲＥ識別子を受信する。ＲＥ５２は、受信した‘１’のＲＥ識別子を自ＲＥ識別子として記憶装置に記憶する。また、ＲＥ５２は、受信した‘１’のＲＥ識別子に‘１’を加算する。
【００９５】
ステップＳ３５において、ＲＥ５２は、‘１’を加算したＲＥ識別子‘２’を下り方向のＲＥ５３に送信する。
以下、ステップＳ３６からステップＳ４５までの処理は同様であり、その説明を省略する。
【００９６】
ステップＳ４６において、ＲＥ５８は、ＲＥ５７から‘７’のＲＥ識別子を受信する。ＲＥ５８は、受信した‘７’のＲＥ識別子を自ＲＥ識別子として記憶装置に記憶する。また、ＲＥ５８は、受信した‘７’のＲＥ識別子に‘１’を加算する。
【００９７】
ステップＳ４７において、ＲＥ５８は、カスケード接続の最終段に接続されているので、終端処理を行う。ＲＥ５８は、‘１’を加算したＲＥ識別子‘８’と、記憶装置に記憶したＲＥ識別子‘７’とを比較する。
【００９８】
ステップＳ４８において、ＲＥ５８は、ＲＥ識別子‘８’の方が、自ＲＥ識別子‘７’より大きいので、ＲＥ識別子‘８’をそのまま上り方向のＲＥ５７に送信する。
ステップＳ４９において、ＲＥ５７は、ＲＥ５８から‘８’のＲＥ識別子を受信する。ＲＥ５７は、受信したＲＥ識別子‘８’と、記憶装置に記憶した自ＲＥ識別子‘６’とを比較する。
【００９９】
ステップＳ５０において、ＲＥ５７は、ＲＥ識別子‘８’の方が、自ＲＥ識別子‘６’より大きいので、ＲＥ識別子‘８’をそのまま上り方向のＲＥ５６に送信する。
以下、ステップＳ５１からステップＳ６２までの処理は同様であり、その説明を省略する。
【０１００】
以上のようなシーケンスにより、ＲＥ５１〜５８は、記憶装置に記憶した自ＲＥ識別子により、自分がカスケード接続のどの位置に接続されているか認識することができる。また、ＲＥＣ４１およびＲＥ５１〜５８は、上り方向のＲＥ識別子‘８’を受信することにより、何台のＲＥがカスケード接続されているか認識することができる。
【０１０１】
図２０、図２１は、ＲＥＣ−ＲＥの通信情報処理のシーケンス図である。図２０、図２１には、図８で示したＲＥＣ４１およびＲＥ５１〜５８の通信情報処理のシーケンスが示してある。通信情報処理は、図２０、図２１で続いている。
【０１０２】
ステップＳ７１において、ＲＥ５１は、記憶装置に記憶した自ＲＥ識別子を取得する。ＲＥ５１は、変数オフセットに、取得した自ＲＥ識別子を代入する。ＲＥ５１の自ＲＥ識別子は‘０’なので、オフセットには、‘０’が格納される。
【０１０３】
ＲＥ５１は、オフセット‘０’に‘１７’を加算し、変数自ＲＥ用ベンダ指定領域（図中領域指定）に格納する。オフセットは‘０’であるので、領域指定は、‘１７’となる。これにより、ＲＥ５１は、図１１で示したＲＥ５１用のベンダ指定領域を認識することができる。
【０１０４】
なお、ＲＥ５１は、例えば、図１８のステップＳ３３の処理後に、ステップＳ７１の処理を行う。
ステップＳ７２において、ＲＥ５２は、記憶装置に記憶した自ＲＥ識別子を取得する。ＲＥ５２は、オフセットに、取得した自ＲＥ識別子を代入する。ＲＥ５２の自ＲＥ識別子は‘１’なので、オフセットには、‘１’が格納される。
【０１０５】
ＲＥ５２は、オフセット‘１’に‘１７’を加算し、領域指定に格納する。オフセットは‘１’であるので、領域指定は、‘１８’となる。これにより、ＲＥ５２は、図１１で示したＲＥ５２用のベンダ指定領域を認識することができる。
【０１０６】
なお、ＲＥ５２は、例えば、図１８のステップＳ３５の処理後に、ステップＳ７２の処理を行う。
以下、ステップＳ７３からステップＳ７８までの処理は同様であり、その説明を省略する。
【０１０７】
ステップＳ７９において、ＲＥＣ４１は、ハイパーフレームＺ０（図中ＨＦＮＺ０）を送信する。
ステップＳ８０において、ＲＥ５１は、ハイパーフレームＺ０のベンダ指定領域を、図２０のステップＳ７１で算出した領域指定‘１７’を用いて参照し、ＲＥ５１用のベンダ指定領域から自己宛のＩＰアドレスを取得する。
【０１０８】
ステップＳ８１において、ＲＥ５２は、ハイパーフレームＺ０のベンダ指定領域を、図２０のステップＳ７２で算出した領域指定‘１８’を用いて参照し、ＲＥ５２用のベンダ指定領域から自己宛のＩＰアドレスを取得する。
【０１０９】
以下、ステップＳ８２からステップＳ８７までの処理は同様であり、その説明を省略する。
ステップＳ８８において、ＲＥＣ４１は、ハイパーフレームＺ１を送信する。
【０１１０】
ステップＳ８９において、ＲＥ５１は、ハイパーフレームＺ１のベンダ指定領域を、図２０のステップＳ７１で算出した領域指定‘１７’を用いて参照し、ＲＥ５１用のベンダ指定領域からＲＥＣ４１のＩＰアドレスを取得する。
【０１１１】
ステップＳ９０において、ＲＥ５２は、ハイパーフレームＺ１のベンダ指定領域を、図２０のステップＳ７２で算出した領域指定‘１８’を用いて参照し、ＲＥ５２用のベンダ指定領域からＲＥＣ４１のＩＰアドレスを取得する。
【０１１２】
以下、ステップＳ９１からステップＳ９６までの処理は同様であり、その説明を省略する。
ステップＳ９７において、ＲＥＣ４１は、ハイパーフレームＺ２を送信する。
【０１１３】
ステップＳ９８において、ＲＥ５１は、ハイパーフレームＺ２のベンダ指定領域を、図２０のステップＳ７１で算出した領域指定‘１７’を用いて参照し、ＲＥ５１用のベンダ指定領域からＲＥ５１宛のその他の情報を取得する。
【０１１４】
ステップＳ９９において、ＲＥ５２は、ハイパーフレームＺ２のベンダ指定領域を、図２０のステップＳ７２で算出した領域指定‘１８’を用いて参照し、ＲＥ５２用のベンダ指定領域からＲＥ５２宛のその他の情報を取得する。
【０１１５】
以下、ステップＳ１００からステップＳ１０５までの処理は同様であり、その説明を省略する。
ＲＥＣ４１は、ハイパーフレームＺ３以降も所定の通信情報をＲＥ５１〜５８に送信することができる。ＲＥＣ４１は、ハイパーフレームＺ１４９を送信すると、次には、再びハイパーフレームＺ０から送信する。そして、ステップＳ７９からステップＳ１０５と同様の処理を行う。
【０１１６】
これによって、ＲＥＣ４１およびＲＥ５１〜５８は、互いにＩＰアドレスを指定し、ＣＰＲＩフレームのイーサネット領域またはＨＤＬＣ領域を用いた通信をすることができる。
【０１１７】
このように、ＲＥＣおよびＲＥは、ＲＥ識別子により、カスケード接続の接続関係を認識できるので、ＲＥがカスケード接続から削除および追加された場合でも、そのカスケード接続の接続関係を認識することができる。  また、ＲＥＣおよびＲＥは、カスケード接続の接続関係を認識することにより、ＲＥＣ−ＲＥ間のＣＰＲＩ通信に必要なＩＰアドレス等を送受信でき、ＣＰＲＩのイーサネット領域またはＨＤＬＣ領域を用いた通信を行うことができる。
【０１１８】
また、ＲＥＣ−ＲＥ間を、特別リンクを用いることなくＣＰＲＩで接続できるので、無線データや制御データを送信するためのイーサネットなどの別のインタフェースが不要となる。
【０１１９】
また、ハイパーフレームごとに属性の異なる通信情報を送信することにより、様々な情報の送受信が可能となる。
さらに、ＲＥ５１〜５８は、例えば、図１１に示した他のＲＥ５１〜５８の領域を参照することにより、他のＲＥ５１〜５８のＩＰアドレスを認識することが可能であり、ＲＥ５１〜５８で通信することも可能である。
【０１２０】
（付記１）  複数の無線装置と通信する無線制御装置において、
カスケード接続された前記複数の無線装置の接続関係を認識するための識別子をフレームに挿入する識別子挿入手段と、
前記識別子挿入手段によって前記識別子が挿入された前記フレームを前記カスケード接続された前記複数の無線装置に送信する送信手段と、
前記カスケード接続された前記複数の無線装置から前記識別子が挿入された前記フレームを受信する受信手段と、
前記受信手段によって受信された前記フレームの前記識別子に基づいて前記カスケード接続された前記複数の無線装置の接続関係を認識する接続関係認識手段と、
を有することを特徴とする無線制御装置。
【０１２１】
（付記２）  前記フレームは、ＣＰＲＩフレームであることを特徴とする付記１記載の無線制御装置。
（付記３）  前記識別子挿入手段は、周期的に前記識別子を前記ＣＰＲＩフレームに挿入することを特徴とする付記２記載の無線制御装置。
【０１２２】
（付記４）  前記識別子挿入手段は、前記ＣＰＲＩフレームの所定の領域に前記識別子を挿入することを特徴とする付記２記載の無線制御装置。
（付記５）  前記接続関係認識手段によって認識された前記接続関係に基づいて、前記複数の無線装置のそれぞれにＣＰＲＩによるイーサネット通信またはＨＤＬＣ通信を行うための通信情報を送信する通信情報送信手段を有することを特徴とする付記２記載の無線制御装置。
【０１２３】
（付記６）  前記通信情報送信手段は、前記ＣＰＲＩフレームの所定の領域に前記通信情報を挿入することを特徴とする付記５記載の無線制御装置
（付記７）  前記通信情報は、ハイパーフレームごとに情報属性が異なることを特徴とする付記５記載の無線制御装置。
【０１２４】
（付記８）  前記通信情報には、当該無線制御装置および前記複数の無線装置のＩＰアドレスが含まれることを特徴とする付記５記載の無線制御装置。
（付記９）  無線制御装置と通信する無線装置において、
前記無線制御装置または上り方向の他無線装置から識別子が挿入されたフレームを受信する受信手段と、
前記受信手段によって受信された前記フレームの前記識別子に基づいて、カスケード接続された複数の無線装置における当該無線装置の接続関係を認識する接続関係認識手段と、
前記受信手段によって受信された前記フレームの前記識別子に所定の演算を施して、前記カスケード接続された下り方向の他無線装置に送信する送信手段と、
下り方向の前記他無線装置から上り方向の前記フレームを受信し、上り方向の前記他無線装置または前記無線制御装置に前記フレームを送信する送受信手段と、
を有することを特徴とする無線装置。
【０１２５】
（付記１０）  前記フレームは、ＣＰＲＩフレームであることを特徴とする付記９記載の無線装置。
（付記１１）  前記送信手段は、前記ＣＰＲＩフレームの前記識別子に所定値を加算し、下り方向の前記他無線装置に送信することを特徴とする付記１０記載の無線装置。
【０１２６】
（付記１２）  前記ＣＰＲＩフレームの所定の領域からＣＰＲＩによるイーサネット通信またはＨＤＬＣ通信を行うための通信情報を取得する通信情報取得手段を有することを特徴とする付記１０記載の無線装置。
【０１２７】
（付記１３）  前記通信情報には、当該無線装置のＩＰアドレスと前記無線制御装置のＩＰアドレスとが含まれていることを特徴とする付記１２記載の無線装置。
（付記１４）  前記送信手段は、当該無線装置が前記カスケード接続の最後段に接続されている場合、前記受信手段によって受信された前記ＣＰＲＩフレームを上り方向の前記他無線装置に送信することを特徴とする付記１０記載の無線装置。
【０１２８】
（付記１５）  無線通信システムにおいて、
カスケード接続された複数の無線装置の接続関係を認識するための識別子をフレームに挿入する識別子挿入手段と、前記識別子挿入手段によって前記識別子が挿入された前記フレームを前記カスケード接続された前記複数の無線装置に送信する送信手段と、前記カスケード接続された前記複数の無線装置から前記識別子が挿入された前記フレームを受信する受信手段と、前記受信手段によって受信された前記フレームの前記識別子に基づいて、前記カスケード接続された前記複数の無線装置の接続関係を認識する接続関係認識手段と、を有する無線制御装置と、
前記無線制御装置または上り方向の他無線装置から識別子が挿入されたフレームを受信する受信手段と、前記受信手段によって受信された前記フレームの前記識別子に基づいて、カスケード接続された複数の無線装置における当該無線装置の接続関係を認識する接続関係認識手段と、前記受信手段によって受信された前記フレームの前記識別子に所定の演算を施して、前記カスケード接続された下り方向の他無線装置に送信する送信手段と、下り方向の前記他無線装置から上り方向の前記フレームを受信し、上り方向の前記他無線装置または前記無線制御装置に前記フレームを送信する送受信手段と、を有する無線装置と、
を有することを特徴とする通信システム。
【図面の簡単な説明】
【０１２９】
【図１】無線制御装置および無線装置の概要を説明する図である。
【図２】ＲＥをカスケード接続した基地局のブロック構成図である。
【図３】ＣＰＲＩ通信を説明する図である。
【図４】ＣＰＲＩのプロトコル構成の概略を示した図である。
【図５】ＣＰＲＩのフレーム構成例を示した図である。
【図６】ハイパーフレームの詳細を示した図である。
【図７】コントロールワードマッピングを示した図である。
【図８】ＲＥＣとカスケード接続されたＲＥとを示した図である。
【図９】接続関係の認識処理を説明する図である。
【図１０】ＲＥ識別子のマッピングを説明する図である。
【図１１】通信情報のマッピングを説明する図である。
【図１２】通信情報の送受信を説明する図である。
【図１３】ＲＥＣのブロック図である。
【図１４】ＲＥのブロック図である。
【図１５】ＲＥのＲＥ識別子の下り方向処理を示したフローチャートである。
【図１６】ＲＥのＲＥ識別子の上り方向処理を示したフローチャートである。
【図１７】ＲＥの通信情報の受信処理を示したフローチャートである。
【図１８】ＲＥＣ−ＲＥの認識処理のシーケンス図である。
【図１９】ＲＥＣ−ＲＥの認識処理のシーケンス図である。
【図２０】ＲＥＣ−ＲＥの通信情報処理のシーケンス図である。
【図２１】ＲＥＣ−ＲＥの通信情報処理のシーケンス図である。
【符号の説明】
【０１３０】
１  無線制御装置
１ａ  識別子挿入手段
１ｂ，２ａｃ  送信手段
１ｃ，２ａａ  受信手段
１ｄ，２ａｂ  接続関係認識手段
２ａ，２ｂ，…，２ｎ  無線装置
２ａｄ  送受信手段
【図１】
0005146037.tif 000002
【図２】
0005146037.tif 000003
【図３】
0005146037.tif 000004
【図４】
0005146037.tif 000005
【図５】
0005146037.tif 000006
【図６】
0005146037.tif 000007
【図７】
0005146037.tif 000008
【図８】
0005146037.tif 000009
【図９】
0005146037.tif 000010
【図１０】
0005146037.tif 000011
【図１１】
0005146037.tif 000012
【図１２】
0005146037.tif 000013
【図１３】
0005146037.tif 000014
【図１４】
0005146037.tif 000015
【図１５】
0005146037.tif 000016
【図１６】
0005146037.tif 000017
【図１７】
0005146037.tif 000018
【図１８】
0005146037.tif 000019
【図１９】
0005146037.tif 000020
【図２０】
0005146037.tif 000021
【図２１】
0005146037.tif 000022